(57)【要約】【課題】人物像を等身大に表現し、且つ、背景を伴うことなく当該人物像のみを表現したステッカーの製造方法を提供することを課題とする。【解決手段】原画像１を用意する工程と、原画像１の人物像以外の部分を消去して人物像のみを残す処理をする工程と、前記処理により人物像のみを残した画像を、前記人物像が等身大となるように拡大処理する工程と、拡大処理した画像２のカットすべき範囲を画定するためのカットライン３を表示して印刷用ファイルを生成する工程と、裏面に、接着層５を介して剥離可能な台紙６を定着した印刷用のシート素材４を用意する工程と、前記印刷用ファイルを用いて印刷機でシート素材４上に印刷する工程と、シート素材４をカットライン３に沿ってカットする工程とから成る。【選択図】図２
2011085609.tif 000002
【特許請求の範囲】
【請求項１】
−原画像を用意する工程と、
−前記原画像の人物像以外の部分を消去して前記人物像のみを残す処理をする工程と、
−前記処理により人物像のみを残した画像を、前記人物像が等身大となるように拡大処理する工程と、
−前記拡大処理した画像のカットすべき範囲を画定するためのカットラインを表示して印刷用ファイルを生成する工程と、
−裏面に接着層を介して剥離可能な台紙を定着した印刷用のシート素材を用意する工程と、
−前記印刷用ファイルを用いて印刷機で前記シート素材上に印刷する工程と、
−前記シート素材を前記カットラインに沿ってカットする工程と、
から成ることを特徴とする等身大ステッカーの製造方法。
【請求項２】
前記カットラインは、前記拡大画像の人物像の輪郭に沿って入れられる、請求項１に記載の等身大ステッカーの製造方法。
【請求項３】
前記カットラインは、前記拡大画像の人物像の輪郭から外側に間隔を置いて入れられる、請求項１に記載の等身大ステッカーの製造方法。
【請求項４】
前記接着層は、感圧式接着剤で形成される、請求項１乃至３のいずれかに記載の等身大ステッカーの製造方法。
【請求項５】
前記シート素材は、厚さ０．０３ｍｍ程の塩化ビニルシートである、請求項１乃至４のいずれかに記載の等身大ステッカーの製造方法。
【請求項６】
前記印刷機として、ワイドフォーマット・デジタルプリンターを用いる、請求項１に記載の等身大ステッカーの製造方法。
【請求項７】
前記カットラインに沿ってのカッティングは、デジタルカッターを用いて行う、請求項１に記載の等身大ステッカーの製造方法。
【請求項８】
前記デジタルカッターは、前記印刷機に装備されたものである、請求項７に記載の等身大ステッカーの製造方法。
【発明の詳細な説明】
【技術分野】
【０００１】
本発明は、等身大ステッカーの製造方法、より詳細には、主に、有名なスポーツ選手や俳優、歌手等のスター、その他の人物（動物やキャラクターを含む）の等身大のステッカーであって、壁やドア等に手軽に貼り付けて楽しむことができる、等身大ステッカーの製造方法に関するものである。
【０００２】
本発明において言う等身大は、真の意味での等身大となし得るという意味であるが、それ以上のサイズ及びそれ以下のサイズのものを排除する趣旨のものではなく、一般的ポスターサイズのものも含む。また、動物や、実在しないアニメキャラクター等を対象とする場合は、人サイズの大きさ（それ以上又はそれ以下のサイズを含む）となし得るとの意味であると理解されたい。
【背景技術】
【０００３】
有名なスポーツ選手や俳優、歌手等のスターのポスターは広く出回っており、それを購入したファンは、自室の壁等に貼ったりして楽しんでいる。そのポスターのサイズは、一般に縦横共に１００ｃｍ以下の長方形のものが多く、また、その写真の人物像は、何らかの背景と共に写し出されている。そのため、それらのポスターは、現実味のない写真の域を出ないものである。
【先行技術文献】
【特許文献】
【０００４】
【特許文献１】米国特許第５４７０３０１号公報
【特許文献２】特開２００２−３４１７７４号公報
【特許文献３】特開平９−２７１４３２号公報
【発明の概要】
【発明が解決しようとする課題】
【０００５】
上述したように、有名なスポーツ選手やスターのファンは、それらの人物のポスターを自室の壁等に貼ったりして楽しんでいるが、そのポスターの写真の人物像は、実際よりもかなり小さく、また、何らかの背景と共に写し出されているため、それらのポスターにおける人物像は、現実味のない写真の域を出ないものであった。
【０００６】
そこで本発明は、有名なスポーツ選手やスター等の人物像、あるいは、動物やキャラクター等を等身大に表現し、且つ、背景を伴うことなく当該人物像のみを表現したステッカーであって、室内の壁やドア等に貼り付けることができ、以て、恰もそこに当該人物、動物、あるいは、キャラクター等が存在するが如き状況を作出することができる、等身大ステッカーの製造方法を提供することを課題とする。
【課題を解決するための手段】
【０００７】
上記課題を解決するための請求項１に記載の発明は、
−原画像を用意する工程と、
−前記原画像の人物像以外の部分を消去して前記人物像のみを残す処理をする工程と、
−前記処理により人物像のみを残した画像を、前記人物像が等身大となるように拡大処理
する工程と、
−前記拡大処理した画像のカットすべき範囲を画定するためのカットラインを表示して印
刷用ファイルを生成する工程と、
−裏面に接着層を介して剥離可能な台紙を定着した印刷用のシート素材を用意する工程と、
−前記印刷用ファイルを用いて印刷機で前記シート素材上に印刷する工程と、
−前記シート素材を前記カットラインに沿ってカットする工程と、
から成ることを特徴とする等身大ステッカーの製造方法である。
【０００８】
前記カットラインは、前記拡大画像の人物像の輪郭に沿って入れられ、あるいは、その輪郭の外側に適宜間隔を置いて入れられる。好ましくは、前記接着層は感圧式接着剤で形成され、前記シート素材は、厚さ０．０３ｍｍ程の塩化ビニルシートとされる。また、好ましくは、前記印刷機としてワイドフォーマット・デジタルプリンターを用い、前記カットラインに沿ってのカッティングには、デジタルカッターを用いる。このデジタルカッターは、前記印刷機に備え付け可能である。
【発明の効果】
【０００９】
本発明は上述したとおりであり、本発明に係る等身大ステッカーの製造方法によれば、有名なスポーツ選手やスターの人物像、あるいは、動物やキャラクター等を等身大に表現し、且つ、背景を伴うことなく、当該人物像等のみを切り出したステッカーが容易に得られ、当該ステッカーを裏面の接着層を介して室内の壁やドア等に貼り付けることにより、恰もそこに当該人物等が居るが如き状況を作出することができるので、当該人物等のファンにとって、この上ない幸福感や満足感を味わえるステッカーとなし得る効果がある。
【００１０】
そして、本発明に係る方法により製造された等身大ステッカーには、好ましくは感圧式接着剤が用いられるので、単に壁やドアに押し付けるだけで簡単に壁やドアに貼着でき、また、一旦貼り付けた後において、その貼り付け面を損傷することなく剥がし取ることが可能なる効果がある。
【図面の簡単な説明】
【００１１】
【図１】本発明に係る等身大ステッカーの製造方法の一工程を示す概略図である。
【図２】本発明に係る等身大ステッカーの製造方法の他の工程を示す概略図である。
【図３】本発明に係る等身大ステッカーの製造方法の更に他の工程を示す概略図である。
【発明を実施するための最良の形態】
【００１２】
以下に、本発明を実施するための最良の形態につき、添付図面を参照しつつ詳細に説明する。本発明に係る等身大ステッカーの製造方法は、原画像を用意する工程（第１工程）と、前記原画像の人物像以外の部分を消去し、前記人物像のみを残す処理をする工程（第２工程）と、第２工程により人物像のみを残した画像を、前記人物像が等身大となるように拡大処理する工程（第３工程）と、前記拡大処理した画像のカットすべき範囲を確定するためのカットラインを表示して印刷用ファイルを生成する工程（第４工程）と、裏面に接着層を介して剥離可能な台紙を定着した印刷用のシート素材を用意する工程（第５工程）と、前記印刷用ファイルを用いて印刷機で前記シート素材上に印刷する工程（第６工程）と、前記シート素材を前記カットラインに沿ってカットする工程（第７工程）とから成る。
【００１３】
上述したように、本発明における等身大には、真の意味での等身大だけでなく、それ以上のサイズ及びそれ以下のサイズのものも含まれる。なお、上記第５工程は、必ずしも第４工程の後にくるという訳ではなく、第1工程乃至第４工程のいずれかの前工程となし得るものである。以下に、上記各工程について詳述する。
【００１４】
１）第１工程
本発明においては、先ず、人物（動物やキャラクター等の場合も含む。以下同様）の原画像１を用意する（図１（Ａ））。原画像１はデジタルカメラによる人物画像であることが好ましいが、一般のネガ写真やビデオカメラの映像等の動画であってもよい。それがデジタル画像でない場合には、スキャナー等の画像入力装置を用いてデジタル・データ化して利用する。
【００１５】
２）第２工程
次いで、原画像１の人物像以外の部分（背景像）を消去して、人物像のみを残す処理、即ち、グラフィックス・ソフトによるクリッピング操作を行う（図１（Ｂ））。クリッピングは、人物の全体について行うことが多いが、場合によっては、完成したステッカーが上半身のみのものとなるように、一部を残すように処理することもある。なお、本願発明において言う人物像は、純粋に人物のみを意味するのではなく、例えば、図示した野球選手のバットのように、当該人物と一体となっている道具類等も含むものである。
【００１６】
３）第３工程
第２工程においてクリッピングした人物画像を、その人物が等身大となるように拡大処理する工程である。この処理も、グラフィックス・ソフトによって行うことができる。
【００１７】
４）第４工程
第３工程で等身大に拡大処理した拡大画像２のカットすべき範囲を画定するカットライン３を、無数の線や点で表示して印刷用ファイルを生成する工程である（図１（Ｃ））。通例、カットライン３は、人物像の輪郭に沿って入れられるが、より広範囲に設定するために、その輪郭から外側に間隔を置いて入れることもある。このカットライン３の表示操作は、上記グラフィックス・ソフトによって行うことができるが、画像の人物の格好やポーズによってはこのカットライン３表示が容易ではなくなるため、通例この作業は、第３工程において人物画像が等身大となるように拡大処理した後に、各セルごとに行う。
【００１８】
５）第５工程
裏面に、接着層５を介して剥離可能な台紙６を定着した印刷用のシート素材４を用意する工程である（図２参照）。ここで用いるシート素材４は、印刷適性があって、ある程度の強靭性を有するものとし、好ましくは、例えば、厚さ０．０３ｍｍ（６ｍｉｌ）程の塩化ビニルシートを用いる。また、好ましくは、接着層５は、感圧式接着剤を用いて形成する。その場合は、本等身大ステッカーを単に壁やドア、その他所望の個所に押し付けるだけで簡単に貼着でき、また、一旦貼り付けた後においても、その貼り付け面の塗装を剥がしたりすることなく、剥取可能となる。
【００１９】
６）第６工程
第４工程で生成した印刷用ファイルを用いて、印刷機で、シート素材４上に直接印刷する工程である（図２）。ここで用いる印刷機は、ワイドフォーマット・デジタルプリンターで、例えば、７２０ＤＰＩの解像度で印刷する。
【００２０】
７）第７工程
台紙６を残し、シート素材４のみを、カットライン３に沿ってカットする工程である。このカッティング作業は、デジタルカッターを用いることによって、自動的に行うことができる。なお、デジタルカッターの機能を備えたワイドフォーマット・デジタルプリンターを用いれば、１台の装置で印刷及びカッティング作業を行うことが可能となる。その場合は、印刷後にシート素材４（及び台紙６）を巻き込み、それを繰り出しつつ、刃をカットラインに沿って移動させてカットしていくことになる。かくして、等身大ステッカー７が出来上がる。
【００２１】
この等身大ステッカー７は、主に、有名なスポーツ選手や俳優、歌手等のスター、その他の人物像を対象とするが、動物像やキャラクター等を対象としてもよいことは上述したとおりである。そして、人物については真の意味において等身大とすることが可能であり（あるいは、より大きなサイズ又は小さなサイズ）、また、動物や実在しないアニメキャラクター等についても、人物相当その他任意のサイズとすることができる。
【００２２】
本等身大ステッカー７は、上記第７工程でシート素材４をカットライン３に沿ってカットした状態のもの、即ち、カットライン３の外側のシート素材４を残した状態のものを商品として供給してもよいが、通例、カットライン３の外側のシート素材４を接着層５と共に除去し、その除去した部分の台紙６を露出させ、カットライン３の内側の人物像の部分のみを残した状態のもの（図３（Ａ））を商品として供給する。そして、商品購入者は、人物像の部分を剥離紙６から剥取し（図３（Ｂ）参照）、その裏面の接着層５を介して壁やドア等に接着して楽しむ。
【００２３】
上記のとおり、本等身大ステッカー７は、有名なスポーツ選手やスターの人物像、あるいは、動物やキャラクター等を等身大に表現し、且つ、背景を伴うことなく当該人物像のみを切り出したものであるため、これを室内の壁やドア等に貼り付けることにより、恰もそこに当該人物が居るような感覚を抱かせる。従って、当該人物のファンにとっては、この上ない幸福感や満足感を味わえるステッカーとなり得るものである。
【００２４】
本発明に係る方法は、例えば、テーマパーク等におけるサービスとして、入場者とキャラクター等を一緒に撮影したものを原画像１とし、これを用いて製造した当該入場者とキャラクター等の等身大ステッカーを、当該入場者に販売する等の用途に利用することができ、その他、一般希望者から提供された画像を元にしてその画像の等身大ステッカーを製造し、当該希望者に販売する種々のサービスに利用し得るものである。
【００２５】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２６】
１      原画像
２      拡大画像
３      カッティングライン
４      シート素材
５      接着層
６      台紙
７      等身大ステッカー
【図１】
2011085609.tif 000003
【図２】
2011085609.tif 000004
【図３】
2011085609.tif 000005